(57)【要約】【課題】  乳房から母乳が分泌されるようになると、乳児の授乳時ばかりではなく、就寝時などにおいても乳房より母乳が分泌されるようになる。このため、乳房より分泌する母乳を吸収して衣服などへの付着を防止するために母乳パットが用いられる。本発明は、就寝時などのリラックス時において、母乳パットのズレを防止すると共に、快適な装着感を実現すると共に、母乳の吸収効率の向上を課題とする。【解決手段】  液体不透過フィルム５と液体透過フィルム６との間に吸収体８を配置し、液体不透過フィルム５を裏面に、液体透過フィルム６を正面に設けた母乳パット１であって、母乳パット１の正面の縁部３に粘着部７を設けた。【選択図】  図２
2006077368.tif 000002
【特許請求の範囲】
【請求項１】
液体不透過フィルムと液体透過フィルムとの間に吸収体を配置し、液体不透過フィルムを裏面に、液体透過フィルムを正面に設けた母乳パットであって、母乳パットの正面の縁部に粘着層を設けたことを特徴とする母乳パッド。
【発明の詳細な説明】
【技術分野】
【０００１】
本発明は、乳児に母乳を与える者が、漏出する余乳を吸収させるための母乳パッドであり、特に就寝時などのリラックス状態で装着される母乳パッドに関するものである。
【背景技術】
【０００２】
従来、母乳パッドは肌接触側の透水性シートと非肌接触側の不透水性シートとの間に吸水性物質を介在させて、これらを乳房状に形成したものが多い。これらは、主にブラジャーで肌に密着させて使用するものである。
【０００３】
そして、人それぞれに乳房の形状が異なることから、複雑な立体形状によりより乳房にフィットした母乳パッドが求められてきた。
そこで、母乳パッドを使用者の乳房にフィットさせるために、吸収材料を円形に裁断すると共に円形の一部又は全周部に絞りを形成し、乳房にフィットさせることを目的としている。
また、略三角形状で、外周縁からパッド本体の中心方向に向けスリットを切断し、任意の角度で相互に重合係着させることにより保型パッドを形成し、保型パッドの裏側に使い捨てパッドを着脱自在するものが知られている。これは、使用者が乳房の形状にあわせて自由に変形させるものである（例えば、特許文献１を参照）。
【特許文献１】特開２００２−１９４６０３号公報
【発明の開示】
【発明が解決しようとする課題】
【０００４】
しかし、このような母乳パッドは大掛かりなものであり、実際に乳房の形状に合わせることは、育児で疲労している者にとっては負担に感じられる場合もある。そして、乳房にフィットさせるよりは、乳房の形状に合わせたパットにより乳房を押付けるものである。
自宅に居るときや、リラックスする場合においては、乳房に押付ける母乳パッドよりも、乳房を押付けない母乳パッドが望まれており、母乳パッドのズレを気にすることなく装着できるものが望まれている。
特に、就寝時においては、従来の母乳パッドでは乳房への押さえつけが必要であり、寝返りなどによりパットがずれやすく、乳房より漏れ出る母乳を十分に吸収し難いものである。このため、夜用の母乳パッドとしては不適切なものである。
すなわち、装着時における違和感を軽減すると共に、乳房のズレにも対応し、母乳の吸収効率のよい母乳パッドが望まれているものである。
【課題を解決するための手段】
【０００５】
上記の課題を解決すべく、本発明は次のような手段を用いる。
請求項１に記載のごとく、液体不透過フィルムと液体透過フィルムとの間に吸収体を配置し、液体不透過フィルムを裏面に、液体透過フィルムを正面に設けた母乳パットであって、母乳パットの正面の縁部に粘着層を設けるものである。
【発明の効果】
【０００６】
請求項１に記載のごとく、液体不透過フィルムと液体透過フィルムとの間に吸収体を配置し、液体不透過フィルムを裏面に、液体透過フィルムを正面に設けた母乳パットであって、母乳パットの正面の縁部に粘着層を設けるので、
人体や乳房に影響を与えずに、母乳パットの乳房よりのズレを抑制する。さらに、容易に取付けおよび取外し可能な母乳パットを提供できるものである。
また、母乳パットに粘着剤を付けることにより構成するので、母乳パットの装着感を向上させながら、軽量かつ薄く構成できるものである。
すなわち、装着時における違和感を軽減でき、就寝時における乳房のズレにも対応し、漏出する母乳の吸収効率のよい母乳パッドを構成できる。
【発明を実施するための最良の形態】
【０００７】
母乳パットを乳房に貼付けることにより、ずれにくい母乳パットを構成する。
【実施例１】
【０００８】
次に、本発明の実施の形態について図を用いて説明する。
図１は母乳パットの装着状態を示す図であり、図２は母乳パットの前後面を示す図であり、図２（ａ）は背面図であり、図２（ｂ）は正面図であり、図３は母乳パットの縁部の断面図であり、図４は乳房に取付けた母乳パットの側面断面図である。
母乳パット１は乳房１０に装着され、乳房１０より流出する母乳を吸収するものである。母乳パット１は乳房１０において乳頭を覆うものであり、母乳パット１の正面を人体に貼着するものである。母乳パット１は略円盤形状に構成されており、内部に吸収体８を有するものである。母乳パット１の表面は防液フィルム５と透液布６とにより構成されるものであり、防液フィルム５と透液布６との間に吸収体８を有する構成となっている。
防液フィルム５と透液布６とは母乳パッド１の縁部３において溶着もしくは接着されており、吸収体８を保持するものである。母乳パット１は透液布６を肌に向けて装着されるものである。母乳パット１の透液布６側には吸収部２が設けられており、吸収部２より母乳の吸収を行うものである。そして、吸収部２の周りには縁部３が構成されている。
防液フィルム６は液体の透過を防ぐ液体不透過フィルムであり、母乳パット１に取り込まれた母乳が外に染み出すのを防ぐものである。透液布６は液体を透過させると液体透過フィルムであり、透液布６自体は水分を含みにくくなっており人体に対してサラッとした感触を与えるものである。吸収体８は、透液布６を通り母乳パット１内に入った液体を吸収保持するものであり、吸収した液体の人体への付着を防止するものである。
【０００９】
母乳パット１の透液布６側の縁部３には、粘着層を設けるものであり、粘着層は母乳パット１の最前面に構成されるものであり、人体および皮膚へ直接接触するものである。粘着層は、縁部３において粘着部７として構成されるものである。粘着部７は、図２（ｂ）に示すごとく、縁部３に沿って円状に構成されている。粘着部７はシリコーンゲル等の粘着力のあるものにより構成するものであり、人体および皮膚への影響が少なく取外し容易なものであればよい。例えば、粘着部７にシリコーンゲルや、湿布基剤として用いられるゲル化剤や、高分子ポリマー、吸水性高分子ポリマーなどを用いることができるものである。このように粘着部７を構成することにより、母乳パット１の複数回の取付けおよび取外しが可能であり、取付けおよび取外しも容易な母乳パットを構成することができるものである。
母乳パット１は吸収部２の略中央を、乳頭にあわせて、縁部３を乳房に取付けるものである。これにより、母乳が漏れ出る乳頭部を母乳パット１により確実に覆うことができるものである。母乳パット１の縁部３に連続した粘着部７を構成することにより、乳房１０が母乳パット１により覆われると共に、縁部３における母乳パット１と乳房１０との隙間がほぼなくなり、母乳パット１よりの母乳の漏れを抑制することが可能となる。さらに、縁部３が円状に構成されているため、就寝状態において使用しても粘着部７に乳房１０が囲まれることとなり、母乳の流出を全方向に対して抑制可能となるものである。
また、縁部３に沿って粘着部７を設けているので、粘着部７同士を貼り付けて、母乳パット１を乳房の形状に合わせて円錐形状にすることも可能となる。すなわち、縁部３の粘着部７を利用して円盤状の母乳パット１の形状を容易に調節できるものである。
【００１０】
図５は積層させた母乳パットとの取り出し状態を示す図である。
母乳パット１の保管状態において、図５に示すごとく、隣接する母乳パット１の裏面に正面を接触させるように複数枚重ねて保持することも可能である。これにより、母乳パット１の人体に接触する側（正面）を保護して清潔に保つことができる。そして、粘着部７に容易に取外し可能なものを用いることにより、貼りついた母乳パット同士を容易にはがして利用することができるものであり、母乳パット１の取り出しも容易に行える。
また、１つの母乳パット１において、縁部３に沿って、吸収部２が内側になるように閉じる（縁部３を合わせて吸収部２を内側に二つ折りにする）ことも可能である。このように閉じることで、保持状態において吸収部２が露出しにくく清潔な状態を保つことができるものである。そして、使用する場合には、縁部３を持ち広げることにより乳房への装着を容易に行うことができる。
このように保持することにより、吸収部２を清潔に保つと共に、母乳パットの携帯性を向上できるものである。
【００１１】
次に、母乳パット１の他の実施例について説明する。
図６は粘着部の他の構成例を示す図であり、図６（ａ）は縁部に粘着部を点在させた例を示す図であり、図６（ｂ）は同心円の円弧形状に間隔を空けて配置した例を示す図であり、図６（ｃ）は縁部に沿ってジグザグに構成した例を示す図である。
図６（ａ）に示す例においては、母乳パット１の縁部３に粘着部７を点在させたものであり、粘着部７を縁部３において点在させることにより、母乳パット１の装着時において粘着部７と皮膚とが直接接触する面積を小さくしながら、母乳パット１の確実な装着を維持できるものである。さらに、粘着部７を点在させたので、母乳パット１との接触部における通気性を確保できると共に、汗などを母乳パット１により吸収することも可能である。そして、乳房の変形に対しても、柔軟に対応可能であると共に、添着された肌に突っ張りなどの感覚を与えにくい。さらに、粘着部７に用いる粘着剤の量を減少し、母乳パット１の製造コストを低減することも可能である。
また、縁部３の一部に外側に向けて突出した取手部３ｂを設けるものである。この取手部３ｂを設けることにより、母乳パット１の取外しを容易にするものである。なお、この取手部３ｂは他の構成においても利用できるものである。
【００１２】
図６（ｂ）に示す例においては、母乳パット１の縁部３に粘着部７を同心円の円弧形状に間隔を空けて配置したものであり、粘着部７の肌との接触面積を大きくとりながら、粘着部７を接触する皮膚部分の集中を避けて、粘着部７の肌との接触部における汗によるムレなどを緩和するものである。そして、乳房の変形に対しても、柔軟に対応可能であると共に、添着された肌に突っ張りなどの感覚を与えにくい。さらに、粘着部７に用いる粘着剤の量を減少し、母乳パット１の製造コストを低減することも可能である。
【００１３】
図６（ｃ）に示す例においては、母乳パット１の縁部３に粘着部７をジグザグに配置したものであり、少ない量の粘着剤により粘着部７の肌との接触面積幅を大きくとり、母乳パット１の乳房１０への高い付着力を得るものである。これにより、就寝時の寝返りなどにおける乳房の変形に対しても、粘着部７が柔軟に対応可能であると共に、母乳パット１が乳房１０から取れにくくするものである。
【実施例２】
【００１４】
次に、図７と図８を用いて第２実施例について説明する。
図７は第２実施例である母乳パットの構成を示す正面図であり、図８は同じく装着時における母乳パットの側面断面図である。
第２実施例の母乳パットにおいては、母乳パット正面の吸収部２にも粘着部７ｂを設けるものである。母乳パットの正面側には縁部３に沿って粘着部７が設けられており、縁部３の内側かつ吸収部２に粘着部７ｂが設けられている。
母乳パットの装着時において、粘着部７ｂは乳頭近傍に位置するものであり、乳頭を囲む構成となる。これにより、乳頭より漏出する母乳を吸収部２に導入しやすくなる。粘着部７ｂが乳頭を取り囲むので、乳頭より乳房に沿って流出した母乳も粘着部７ｂにより進路を阻まれ、透液布６を越して吸収体８により吸収されるものである。
そして、乳頭近傍において母乳パットを保持するので、母乳パットと乳頭が擦れることを防ぎ、母乳パットの快適な装着状態を維持するものである。また、縁部３においても乳房１０に付着するので、母乳パットを乳房にフィットさせやすく装着時の一体感を向上できるものである。
上記構成において、粘着部７ｂの構成としては、前述の縁部３における粘着部７の構成をとることも可能であり、粘着部７ｂを吸収部２の表面において点在させたり、ジグザグに構成したりすることも可能である。
【実施例３】
【００１５】
次に、図９を用いて第３実施例について説明する。
図９は第３実施例である母乳パットの装着時における斜視図である。
第３実施例の母乳パット１２は、基本的な構造において第１実施例に示すものと同様であり、その大きさが装着される乳房１０に対して小さく構成されるものである。第３実施例の母乳パットにおいては、主に、乳頭を覆うものである。そして、縁部３の人体側に粘着部７が設けられており、乳房１０において乳頭部を覆う構成となっている。母乳パット１２の大きさとしては、例えば、日本人の乳頭の平均サイズが直径で１０ｍｍ、高さ８ｍｍとされ、乳輪の平均サイズが直径３５ｍｍといわれていることから、乳頭および乳輪を十分に覆う大きさに構成するものである。これにより、乳房１０の他の部分が母乳パット１２により覆われないので、母乳パット１２の装着による負担を軽減できるものである。
また、母乳パット１２の装着時において、粘着部７は乳頭近傍に位置するものであり、乳頭を囲む構成となる。これにより、乳頭より漏出する母乳を吸収部２に導入しやすくなる。粘着部７が乳頭を取り囲むので、乳頭より乳房に沿って流出した母乳も粘着部７により進路を阻まれ、透液布６を越して吸収体８により吸収されるものである。
上記構成において、粘着部７の構成としては、前述の縁部３における粘着部７の構成をとることも可能であり、粘着部７を吸収部２の表面において点在させたり、ジグザグに構成したりすることも可能である。
【実施例４】
【００１６】
次に、図１０を用いて第４実施例について説明する。
図１０は第４実施例である母乳パットの構成を示す図であり、図１０（ａ）は母乳パットの後面図であり、図１０（ｂ）は装着状態を示す図である。
第４実施例の母乳パット１４の層構造は第２実施例に示すものと同様であり、その形状が扇形となっており、乳頭を覆う粘着部７ｂが縁部３の近傍に位置するものである。第４実施例の母乳パットにおいては、主に、乳頭を覆うと共に、乳房１０の外側部に装着されるものである。そして、縁部３の人体側に粘着部７が設けられており、乳房１０において乳頭部および外側部を覆う構成となっている。母乳パット１４の装着時において、粘着部７ｂは乳頭近傍に位置するものであり、流出した母乳を吸収しやすくなるものである。
また、乳房１０の上部および内側に母乳パット１４が覆われないので、通常の服装において母乳パット１４の露出可能性を低減しながら、母乳を吸収可能な量を大きくとることができるものである。
【図面の簡単な説明】
【００１７】
【図１】母乳パットの装着状態を示す図。
【図２】母乳パットの前後面を示す図。
【図３】母乳パットの縁部の断面図。
【図４】乳房に取付けた母乳パットの側面断面図。
【図５】積層させた母乳パットとの取り出し状態を示す図。
【図６】粘着部の他の構成例を示す図。
【図７】第２実施例である母乳パットの構成を示す正面図。
【図８】同じく装着時における母乳パットの側面断面図。
【図９】第３実施例である母乳パットの装着時における斜視図。
【図１０】第４実施例である母乳パットの構成を示す図。
【符号の説明】
【００１８】
１  母乳パット
２  吸収部
３  縁部
５  防液フィルム
６  透液布
７  粘着部
８  吸収体
【図１】
2006077368.tif 000003
【図２】
2006077368.tif 000004
【図３】
2006077368.tif 000005
【図４】
2006077368.tif 000006
【図５】
2006077368.tif 000007
【図６】
2006077368.tif 000008
【図７】
2006077368.tif 000009
【図８】
2006077368.tif 000010
【図９】
2006077368.tif 000011
【図１０】
2006077368.tif 000012